(57)【要約】【課題】組立式簡易容器本体を内容器と折り畳み可能な枠材の２つの構成部材単位として搬送後、ユーザーサイドでの組み立てをスムーズに、また、簡便に行うことができるようにすること、さらに、搬送に際して内容器がかさばらないようにすること。【解決手段】内容器の外側面２１の下端部近傍に、下端部と平行な突条２３を形成するとともに、枠材１の内側に、その縁部と平行な２つの溝条１４を、それぞれ上下の縁部に近接して形成することにより、内容器２の上方から枠材１をかぶせたとき、溝条１４に突条２３が嵌合して、枠材１が内容器２に固定される。  突条２３が外側面２１の下端部近傍に形成されているため、搬送に際して多数の内容器２を重ね合わせた時、全体の高さを低くすることができる。【選択図】 図３
2014031203.tif 000002
【特許請求の範囲】
【請求項１】
プラスチック又は紙からなる薄い一体成形の内容器と折り畳み可能な枠材からなる容器本体を有する組立式簡易容器であって、
前記内容器は、底面、３つ以上の内側面及び外側面とからなり、
前記外側面の下端部近傍には、それぞれ前記下端部と平行な突条が、連続的又は断続的に形成され、
前記外側面は前記突条の一部を除いて前記下端部より内側に位置しており、
前記枠材の内側には、その縁部と平行な２つの溝条が、それぞれ上下の縁部に近接して連続的又は断続的に形成され、
前記内容器の上方から前記枠材をかぶせ、下側の縁部が前記外側面の下端部に達した時に、前記溝条に前記突条が嵌合して、前記枠材が前記内容器に固定されるようにした組立式簡易容器。
【請求項２】
前記容器本体に加えて蓋材を有し、
前記蓋材は、上面、３つ以上の側面、及び該側面の下端部から下方に向かって形成される周縁面とからなり、
前記内容器の前記外側面の上端部近傍には、それぞれ前記上端部と平行な凹部が、連続的又は断続的に形成され、
前記周縁面には、それぞれ前記側面の下端部と平行な係止部が、蓋材３の内側に突出するように連続的又は断続的に形成され、
前記容器本体に前記蓋材をかぶせたとき、前記係止部が前記凹部に嵌まり込んで、前記蓋材が前記内容器に固定されるようにした請求項１に記載の組立式簡易容器。
【発明の詳細な説明】
【技術分野】
【０００１】
この発明は、主として、寿司、パスタ、ギョウザ、惣菜などの各種加工食品を収納するための組立式簡易容器に関する。
【背景技術】
【０００２】
このような組立式簡易容器として、一体成形した薄い内容器とプラスチック製の発泡枠材を組み合わせたものが広く用いられている。
また、特許文献１に開示されているように、内容器や蓋材を搬送のために重ね合わせるものにおいて、搬送後ユーザーサイドで組み立てる際に、重ね合わせた内容器や蓋材の上下が噛み込み、分離しづらくなるのを防止して、組み立てがスムーズに行われるようにしたものも提案されている。
【０００３】
ところが、特許文献１に開示の簡易容器は、枠材１の中央に設けてある溝１４に嵌合して枠材１を固定するとともに重ね合わせた内容器２の噛み込みを防止するための突条２３が、内容器２の下端部から離れた位置（枠材１の幅の半分の高さ）に形成されているため、内容器２を搬送のために重ね合わせた時、かさばるものであった。
また、突条２３が内容器２の下端部から枠材１の幅の半分の高さに形成されているため、デザイン変更のために枠材１の幅を変更すると、内容器２も合わせて変更する必要があった。
【先行技術文献】
【特許文献】
【０００４】
【特許文献１】特開２０１１−３７４５０号公報
【発明の概要】
【発明が解決しようとする課題】
【０００５】
従来の組立式簡易容器における問題点の解消、すなわち、内容器を搬送のために重ね合わせた時にかさばらないようにすること、及び枠材の幅を自由に変更できるようにすることが本発明の解決しようとする主な課題である。
そして、このうち前者の課題は枠材の幅を大きくすればするほど顕著になるものであるところ、枠材の幅は内容器の深さとも関係するため、内容器を深くした場合にかさばりにくくすることも主な課題の一つである。
【０００６】
また、枠材の幅を変更しても内容器を変更することなく枠材を内容器に固定できるようにすること、内容器の強度を増すこと、内容器と枠材との間に隙間を生じにくくすること、及び蓋材を内容器に固定できるようにすることが、本発明の解決しようとする他の課題である。
【課題を解決するための手段】
【０００７】
上記の課題を解決するための請求項１に係る発明は、プラスチック又は紙からなる薄い一体成形の内容器と折り畳み可能な枠材からなる容器本体を有する組立式簡易容器であって、前記内容器は、底面、３つ以上の内側面及び外側面とからなり、前記外側面の下端部近傍には、それぞれ前記下端部と平行な突条が、連続的又は断続的に形成され、前記外側面は前記突条の一部を除いて前記下端部より内側に位置しており、前記枠材の内側には、その縁部と平行な２つの溝条が、それぞれ上下の縁部に近接して連続的又は断続的に形成され、前記内容器の上方から前記枠材をかぶせ、下側の縁部が前記外側面の下端部に達した時に、前記溝条に前記突条が嵌合して、前記枠材が前記内容器に固定されるようにしたことを特徴とする。
【０００８】
また、上記の課題を解決するための請求項２に係る発明は、請求項１に係る発明の容器本体に加えて蓋材を有し、前記蓋材は、上面、３つ以上の側面、及び該側面の下端部から下方に向かって形成される周縁面とからなり、前記内容器の前記外側面の上端部近傍には、それぞれ前記上端部と平行な凹部が、連続的又は断続的に形成され、前記周縁面には、それぞれ前記側面の下端部と平行な係止部が、蓋材３の内側に突出するように連続的又は断続的に形成され、前記容器本体に前記蓋材をかぶせたとき、前記係止部が前記凹部に嵌まり込んで、前記蓋材が前記内容器に固定されるようにしたことを特徴とする。
【発明の効果】
【０００９】
請求項１に係る発明の組立式簡易容器は、内容器の外側面の下端部近傍に、該下端部と平行な突条が形成されているので、内容器を搬送のために重ね合わせた時に、枠材の幅に影響されることなく、上側の内容器と下側の内容器の間隔を小さくすることができるため、かさばらずに済むという効果がある。この効果は、内容器を深くした場合、枠材の幅を大きくする必要があることから、特に顕著である。
また、枠材の幅を変更しても、縁部に対する溝条の位置を、幅を変更する前の枠材の縁部に対する溝条の位置と同じ関係とすることにより、内容器の突条の位置を全く変えずに枠材をかぶせて固定することができるから、枠材の幅やデザインを自由に変更でき、組立式簡易容器の見映えやデザイン変更を容易にできるという効果がある。
さらに、内容器の下端部近傍に該下端部と平行な突条が形成されているので、内容器の下端部付近の強度が向上するという効果があり、その強度向上によって、特に内容器の各外側面の中央部において、その下端部と枠材との間に隙間が生じにくくなるという効果も得られる。
なお、枠材の内側には、その縁部と平行な２つの溝条が、それぞれ上下の縁部に近接して形成されており、枠材を内容器にかぶせる際にどちらを上にしてかぶせても、いずれかの溝条に内容器の突条が嵌合するため、組み立て作業をスムーズに行うことができるという効果が得られ、内容器を重ね合わせた時に上側の内容器の外側面の下端部が下側の内容器の突条にぶつかるため、両者が相互に噛み込むことがないという効果が得られるが、これらは特許文献１記載の発明が奏する効果と同等である。
【００１０】
次に、請求項２に係る発明の組立式簡易容器は、請求項１に係る発明が奏する効果に加えて、蓋材の係止部が内容器の凹部に嵌まり込むことにより、蓋材を内容器に固定できるという効果がある。
さらに、蓋材の周縁面が内容器の上端部の外側のみを覆うようにした場合、内容器及び蓋材ともに全く変更することなく枠材の幅を変更することができる。
【００１１】
その他の効果として、枠材の幅やデザインを自由に変更できるので、様々な幅やデザインの枠材を準備することにより、同じ内容器を使用しつつ異なる見映えの容器を提供でき、その波及効果として、簡易容器の多様化に対応しやすくなる点や、簡易容器の製造、提供、利用の各場面における在庫管理や在庫スペースの確保が楽になる点が挙げられる。
【図面の簡単な説明】
【００１２】
【図１】本発明の組立式簡易容器の構成部材と組み立て要領を示す図。
【図２】本発明の容器本体を構成する枠材１の折り畳み状態を示す図。
【図３】本発明の枠材１と内容器２を組み立てる時の状態を示す断面図。
【図４】搬送に際して内容器２を重ね合わせた状態を示す断面図。
【図５】枠材１と内容器２を組み立て、蓋材３をかぶせた状態を示す断面図。
【図６】本発明に係る組立式簡易容器の外観を示す図。
【発明を実施するための形態】
【００１３】
以下、実施例によって、本発明の実施の形態を説明する。
【実施例】
【００１４】
図１は、本発明の組立式簡易容器の構成部材を示すもので、２〜５ｍｍ厚の発泡プラスチック、紙又は木材からなる枠材１、薄いプラスチック又は紙の一体成形材からなる内容器２、及び枠材１と内容器２とを組み立てた容器本体にかぶせる蓋材３からなり、矢印で示すように、枠材１を内容器２に上方からかぶせて容器本体を形成した後、容器本体に加工食品を収納し、蓋材３でカバーする。
【００１５】
枠材１は、図１に示すように、帯状材１１の両端１５を熱融着してリング状としたものであって、帯状材１１に形成された折り曲げ部１２と１３を利用して、図２に示すように、平板状に折り畳めるようにしたものである。
枠材１は、このように折り畳んだ状態で、製造現場から複数の枠材１を束状にしてユーザーに搬送する。
そして、ユーザーサイドにおいて、折り曲げ部１２と１３を展開し、図１に示すリング状とした状態で使用する。
【００１６】
枠材１の内側には、その縁部と平行な２つの溝条１４が、それぞれ突条２３を嵌合できるように調整された高さで、上下の縁部に近接して、枠材１の全内周面に形成されている。
本実施例においては、２つの溝条１４は枠材１の全内周面に形成されているが、後述する内容器２の突条２３が、部分的又は断続的に形成されている場合には、必ずしも全内周面に形成する必要はなく、枠材１を内容器２に上方からかぶせた時に、その突条２３が嵌合できるように部分的又は断続的に形成しても良い。
このように、枠材１の内側には、その縁部と平行な２つの溝条１４が、それぞれ上下の縁部に近接して形成されており、枠材１を内容器２にかぶせる際にどちらを上にしてかぶせても、いずれかの溝条１４に内容器２の突条２３が嵌合するため、容器本体を組み立てる際に、枠材１の上下方向の確認をする必要がなく、作業能率を高めることができる。
【００１７】
内容器２は薄いプラスチック又は紙を一体成形したものであり、図１及び図３に示すように、各辺が外側にふくらんだほぼ長方形状の底面２０、底面２０の各辺から斜め上方に立ち上がる４つの内側面２５、各内側面２５の上端部から斜め下方の外方に向かって傾斜する４つの外側面２１、及び各外側面２１の下端部から外方に向かって形成される張出し面２４とからなる。
この内容器２の外側面２１の下端部近傍には、それぞれ下端部と平行な突条２３が、各外側面の左右端部を除く全長にわたって連続的に形成されており、図３に示すように、内容器２に枠材１を上方からかぶせ、下側の縁部が張出し面２４に接した時に、突条２３が枠材１に形成された下側の溝条１４に嵌合して枠材１が内容器２に固定されるようになっている。
本実施例においては、下端部と平行な突条２３は、各外側面の左右両端を除く全長にわたって形成されているが、その長さは本実施例のものより短くても長くても良く、複数の適宜な長さの突条を断続的に形成しても良い。
なお、各外側面２１の下端部から外方に向かって形成される張出し面２４は、内容器２の強度を高め、枠材１をかぶせた時のストッパーとして設けているが、突条２３により内容器２に強度を持たせることができ、また、枠材１を上方からかぶせ、下側の縁部が外側面２１の下端部に達した時に、下側の溝条１４に突条２３が嵌合することによって枠材１を固定することができるので、この張出し面２４は設けなくても良い。
【００１８】
この内容器２の傾斜した外側面２１の上端部近傍には、それぞれ上端部と平行な凹部２２が、各外側面２１の左右端部を除く全長にわたって形成されており、蓋材３を容器本体にかぶせた時に、後述する蓋材３の内側に突出する係止部３３が、その凹部２２に嵌まり込んで、蓋材３が内容器２に固定されるようになっている。
本実施例においては、上端部と平行な凹部２２は、各外側面２１の左右端部を除く全長にわたって形成されているが、その長さは本実施例のものより短くても長くても良く、複数の適宜な長さの凹部を断続的に形成しても良い。
また、各外側面２１の左右端部近傍には、内容器２の強度を高めるために、上下方向に伸びる溝が形成されている。
【００１９】
内容器２はこのような構造となっているので、内容器２を枠材１や蓋材３と分離し、別々にユーザーへ搬送するために、図４に示すように、多数の内容器２を重ね合わせると、下側の内容器２に形成された突条２３に上側の内容器２に形成された張出し面２４が載置される状態となる。
なお、張出し面２４が設けられていない場合、下側の内容器２に形成された突条２３に、上側の内容器２の外側面２１の下端部が接した状態で重なる。
そのため、上下の内容器２が相互に噛み込むことがないので、搬送後ユーザーサイドで簡易容器を組み立てる際に、内容器２を引きはがしにくくなることがなく、容器本体の組み立てに支障をもたらすことがない。
【００２０】
蓋材３は、図１に示すように、薄い透明プラスチックを一体成形したものであって、組み立て後の容器本体に上方からかぶせるものである。
この蓋材３は図１及び図５に示すように、各辺が外側にふくらんだほぼ長方形状の上面３０、上面の各辺から斜め下方の外方に向かって傾斜する４つの傾斜面３１、及び各傾斜面３１の下端部から下方に向かって形成される周縁面３４とからなる。
各傾斜面３１の縁に形成された突出部３２は、重ね合わせて搬送する際、上下位置にあるそれぞれの蓋材３の噛み込みを防止するためのもので、蓋材３毎にその位置をずらして形成する。
また、各周縁面３４には、各傾斜面３１の下端部と平行な係止部３３が、各周縁面３４の左右端部を除く全長にわたって蓋材３の内側に突出するように形成されており、蓋材３を容器本体に上方からかぶせた時に、その係止部３３が内容器２の外側面２１の上端部近傍に形成された凹部２２に嵌まり込んで蓋材３が内容器２に固定されるようになっている。
本実施例においては、各傾斜面３１の下端部と平行な係止部３３は、各周縁面３４の左右端部を除く全長にわたって蓋材３の内側に突出するように形成されているが、各周縁面３４の１箇所又は複数箇所に適宜な長さの係止部を形成するようにしても良い。
さらに、図５に示すように、周縁面３４の下部は外方に向かって広がっており、蓋材３を容器本体にかぶせた時に、枠材１の上部を覆うことができるようになっている。
ただし、周縁面３４の下部を、実施例のように外方に向かって広げずに、枠材１の上部を覆わないようにしても良く、そのような形態の方が、枠材１の幅を変更した場合でも、蓋材３を変更せずにそのまま用いることができるという面ではメリットがある。
なお、本実施例では蓋材３の材質を、薄い透明プラスチックとしたが、必ずしも透明である必要はなく、プラスチックに代えて紙としても良い。
【００２１】
図３は、図２に示す折り畳み状態から展開された枠材１を内容器２の上方からかぶせる状態を示す。
同図に示すように、枠材１を内容器２の上方から軽く押し込むことによって、枠材１は内容器２の傾斜した外側面２１に沿って滑り込む。
そして、図５に示すように、枠材１の下側の縁部が内容器２の張出し面２４に接した状態で、枠材１の下側の溝条１４に、内容器２の外周面に形成された突条２３が入り込み、枠材１と内容器２が安定した状態に固定される。
【００２２】
図５は、蓋材３が容器本体の上部に固定された状態も示している。
同図に示すように、蓋材３を容器本体の上方から枠材１及び内容器２を覆うようにかぶせることにより、内容器２の凹部２２に蓋材３の係止部３３が嵌まり込み、蓋材３が内容器２に固定されるようになっている。
【００２３】
図６は、枠材１を内容器２に嵌合して固定した容器本体に、蓋材３が固定保持された外観を示す図である。
【００２４】
本実施例においては、内容器２及び蓋材３は、概略長方形であるが、長方形に限らず正方形や他の四角形であっても良いのはもちろん、三角形や五角形等他の多角形でもよい。
なお、他の四角形や三角形等の場合で、帯状材１１を長さが同じ２つの群とすることができない場合には、余分な折り曲げ部を形成して平板状に折り畳めるようにした方が良い。
【符号の説明】
【００２５】
１  枠材
１１帯状材  １２、１３折り曲げ部  １４溝条
２  内容器
２０底面  ２１外側面  ２２凹部  ２３突条  ２４張出し面  ２５内側面
３  蓋材
３０上面  ３１傾斜面  ３２突出部  ３３係止部  ３４周縁面
【図１】
2014031203.tif 000003
【図２】
2014031203.tif 000004
【図３】
2014031203.tif 000005
【図４】
2014031203.tif 000006
【図５】
2014031203.tif 000007
【図６】
2014031203.tif 000008